(57)【要約】【課題】  複数の参加者の夫々の嗜好を反映させながら行動の計画立案の支援をすることができる行動計画立案支援システムを提供する。【解決手段】  行動計画立案支援システム１は、共通嗜好認識部３１と、特定参加者嗜好認識部３１と、行動計画作成部３１とを備える。  共通嗜好認識部３１は、嗜好情報３２１７に基づいて、一部の参加者に共通する嗜好である共通嗜好を認識する（図９／ＳＴＥＰ３２４）。  特定参加者嗜好認識部３１は、嗜好情報３２１７に基づいて、共通嗜好を有しない参加者（特定参加者）の嗜好を認識する（図９／ＳＴＥＰ３２６）。  行動計画作成部３１は、共通嗜好に合致する行動と特定参加者の嗜好に合致する行動とを含めた計画である第１行動計画を作成する（図９／ＳＴＥＰ３３２、図９／ＳＴＥＰ３３４）。【選択図】図９
2018173904.tif 000002
【特許請求の範囲】
【請求項１】
複数の参加者の行動の計画の立案を支援する行動計画立案支援システムであって、
前記複数の参加者の夫々の嗜好を示す嗜好情報を保持する保持部と、
前記複数の参加者の夫々の嗜好情報に基づいて、前記複数の参加者の一部の参加者に共通する嗜好である共通嗜好を認識する共通嗜好認識部と、
前記複数の参加者の夫々の嗜好を示す嗜好情報に基づいて、前記共通嗜好を有しない参加者である特定参加者の嗜好を認識する特定参加者嗜好認識部と、
前記共通嗜好に合致する行動と前記特定参加者の嗜好に合致する行動とを含めた計画である第１行動計画を作成する行動計画作成部とを備えることを特徴とする行動計画立案支援システム。
【請求項２】
請求項１記載の行動計画立案支援システムにおいて、
優先すべき参加者である優先参加者を認識する優先参加者認識部を備え、
前記共通嗜好認識部は、前記優先参加者が前記一部の参加者に含まれるように、前記共通嗜好を認識することを特徴とする行動計画立案支援システム。
【請求項３】
請求項１又は２記載の行動計画立案支援システムにおいて、
優先すべき参加者である優先参加者を認識する優先参加者認識部を備え、
前記行動計画作成部は、前記第１行動計画に加え、前記優先参加者の嗜好に合致する行動を少なくとも含む前記第１行動計画とは異なる計画である第２行動計画を作成することを特徴とする行動計画立案支援システム。
【請求項４】
請求項１〜３のうちいずれか１項記載の行動計画立案支援システムにおいて、
前記保持部は、参加者の属性に応じた嗜好の傾向を示す嗜好傾向情報を保持し、
前記行動計画立案支援システムは、前記複数の参加者のうちいずれかの参加者の嗜好情報に欠落がある場合、当該参加者の属性に基づいて当該参加者の嗜好を推定する嗜好推定部を備えるように構成されていることを特徴とする行動計画立案支援システム。
【請求項５】
請求項１〜４のうちいずれか１項記載の行動計画立案支援システムにおいて、
前記保持部は、前記複数の参加者間の関係を示す対人関係情報を保持し、
前記行動計画立案支援システムは、前記複数の参加者のうちいずれかの参加者の嗜好情報に欠落がある場合、前記行動の計画に関する情報を入力するユーザの嗜好と、前記嗜好情報に欠落がある参加者とユーザとの関係とに基づいて、前記参加者の嗜好を推定する嗜好推定部を備えることを特徴とする行動計画立案支援システム。
【請求項６】
請求項１〜５のうちいずれか１項記載の行動計画立案支援システムにおいて、
前記保持部は、前記複数の参加者間の関係を示す対人関係情報を保持し、
前記行動計画作成部は、前記対人関係情報に基づいて、前記共通嗜好に合致する行動と特定参加者の嗜好に合致する行動とに前記複数の参加者の全員が参加する行動計画と、前記共通嗜好に合致する行動に前記一部の参加者が参加し、前記特定参加者の嗜好に合致する行動に前記特定参加者が参加する行動計画とのいずれにするかを選択することを特徴とする行動計画立案支援システム。
【請求項７】
複数の参加者の行動の計画の立案を支援する行動計画立案支援サーバであって、
前記複数の参加者の夫々の嗜好を示す嗜好情報を保持する保持部と、
前記複数の参加者の夫々の嗜好情報に基づいて、前記複数の参加者の一部の参加者に共通する嗜好である共通嗜好を認識する共通嗜好認識部と、
前記複数の参加者の夫々の嗜好を示す嗜好情報に基づいて、前記共通嗜好を有しない参加者である特定参加者の嗜好を認識する特定参加者嗜好認識部と、
前記共通嗜好に合致する行動と前記特定参加者の嗜好に合致する行動とを含めた計画である第１行動計画を作成する行動計画作成部とを備えることを特徴とする行動計画立案支援サーバ。
【請求項８】
複数の参加者の夫々の嗜好を示す嗜好情報を保持する保持部を備えるコンピュータが実行する方法であって、
前記複数の参加者の夫々の嗜好情報に基づいて、前記複数の参加者の一部の参加者に共通する嗜好である共通嗜好を認識するステップと、
前記複数の参加者の夫々の嗜好を示す嗜好情報に基づいて、前記共通嗜好を有しない参加者である特定参加者の嗜好を認識するステップと、
前記共通嗜好に合致する行動と前記特定参加者の嗜好に合致する行動とを含めた計画である第１行動計画を作成するステップとを含むことを特徴とする行動計画立案支援方法。
【請求項９】
複数の参加者の夫々の嗜好を示す嗜好情報を保持する保持部を備えるコンピュータに、
前記複数の参加者の夫々の嗜好情報に基づいて、前記複数の参加者の一部の参加者に共通する嗜好である共通嗜好を認識するステップと、
前記複数の参加者の夫々の嗜好を示す嗜好情報に基づいて、前記共通嗜好を有しない参加者である特定参加者の嗜好を認識するステップと、
前記共通嗜好に合致する行動と前記特定参加者の嗜好に合致する行動とを含めた計画である第１行動計画を作成するステップとを実行させることを特徴とする行動計画立案支援プログラム。
【発明の詳細な説明】
【技術分野】
【０００１】
本発明は、ユーザによる行動の計画の立案を支援する行動計画立案支援システム、行動計画立案支援サーバ及び行動計画立案支援方法に関する。
【背景技術】
【０００２】
特許文献１には、ユーザの嗜好に沿った行動の計画立案を支援するシステムが記載されている。
【０００３】
特許文献１記載のシステムの候補地データ検索部は、ユーザによる端末装置の操作部の操作に起因して、ユーザの訪問スポットとなり得るスポットを示す複数のスポットデータの中から、当該操作に応じたスポットデータを検索し、検索したスポットデータをユーザの嗜好に合う候補地を示す候補地データとする。
【０００４】
特許文献１記載のシステムの候補地記憶部は、前記候補地データ及び候補地の位置情報を紐付けて保存する。
【０００５】
そして、特許文献１記載のシステムの候補地表示処理部は、前記ユーザが前記操作部を操作して訪問したい目的地エリアを指定したときに、候補地データの中から、紐付けられている候補地の位置情報に基づき、目的地エリア内の候補地を示す候補地データを優先して検索し、検索した前記候補地データに、訪問スポットの種類を識別するためのジャンル別タグを付して、表示部に表示された目的地エリアの地図画面上にポップアップ表示する。
【０００６】
特許文献１記載のシステムの案内表示処理部は、ユーザが操作部を操作して地図画面上にポップアップ表示された任意の候補地データを選択したときに、選択された候補地データに対応する表示ラベルを、時間軸に形成されたスケジュール表中に、選択した順番に嵌め込んで表示部に表示すると共に、嵌め込んだ順番に従って、表示ラベルの示す候補地間の移動経路を地図画面上に表示可能とする。
【０００７】
特許文献１記載のシステムによれば、ユーザが気にかけていたスポットが候補地データとして候補地記憶部に保存され、候補地表示処理部によって地図画面上にポップアップ表示されるので、ユーザによる訪問プランでの選択検討対象とすることができる。また、ユーザは、候補地のジャンル別タグと前記地図画面上の前記候補地の位置関係とから、前記各候補地の訪問順の組み合わせを簡単に選定することが可能となる。
【先行技術文献】
【特許文献】
【０００８】
【特許文献１】特開２０１５−１５５８１２号公報
【発明の概要】
【発明が解決しようとする課題】
【０００９】
しかし、特許文献１の主に１人のユーザの嗜好に合う候補地データを優先的に検索するものであり、他の参加者の夫々の嗜好を反映したい場合には、不満が残るおそれがあった。
【００１０】
そこで、本発明は、複数の参加者の夫々の嗜好を反映させながら行動の計画立案の支援をすることができる行動計画立案支援システム、行動計画立案支援サーバ及び行動計画立案支援方法を提供することを目的とする。
【課題を解決するための手段】
【００１１】
本発明の行動計画立案支援システムは、
複数の参加者の行動の計画の立案を支援する行動計画立案支援システムであって、
前記複数の参加者の夫々の嗜好を示す嗜好情報を保持する保持部と、
前記複数の参加者の夫々の嗜好情報に基づいて、前記複数の参加者の一部の参加者に共通する嗜好である共通嗜好を認識する共通嗜好認識部と、
前記複数の参加者の夫々の嗜好を示す嗜好情報に基づいて、前記共通嗜好を有しない参加者である特定参加者の嗜好を認識する特定参加者嗜好認識部と、
前記共通嗜好に合致する行動と前記特定参加者の嗜好に合致する行動とを含めた計画である第１行動計画を作成する行動計画作成部とを備えることを特徴とする。    
【００１２】
当該構成の行動計画立案支援システムによれば、共通嗜好認識部により、複数の参加者の一部の参加者に共通する嗜好が認識される。そして、特定参加者認識部により、当該共通嗜好を有しない特定参加者の嗜好が認識される。
【００１３】
そして、行動計画作成部により、共通嗜好に合致する行動と特定参加者の嗜好に合致する行動とを含めた第１行動計画が作成される。
【００１４】
従って、当該構成の行動計画立案支援システムによれば、一部の参加者及び特定参加者の嗜好が反映された形で行動の計画が作成されるので、行動の計画の立案が適切に支援される。
【００１５】
本発明の行動計画立案支援システムにおいて、
優先すべき参加者である優先参加者を認識する優先参加者認識部を備え、
前記共通嗜好認識部は、前記優先参加者が前記一部の参加者に含まれるように、前記共通嗜好を認識することが好ましい。    
【００１６】
当該構成の行動計画立案支援システムによれば、優先参加者の嗜好が共通嗜好に反映されるように共通嗜好が反映される。これにより、優先参加者の嗜好を勘案した形で行動の計画が作成される。
【００１７】
本発明の行動計画立案支援システムにおいて、
優先すべき参加者である優先参加者を認識する優先参加者認識部を備え、
前記行動計画作成部は、前記第１行動計画に加え、前記優先参加者の嗜好に合致する行動を少なくとも含む前記第１行動計画とは異なる計画である第２行動計画を作成することが好ましい。
【００１８】
当該構成の行動計画立案支援システムによれば、優先参加者の嗜好を勘案した形で第２行動計画が作成される。これにより、優先すべき参加者を勘案した形で行動計画が作成されるとともに、システムの利用者に、複数の計画を提示することで、どの計画を選ぶかの選択肢を与えることができる。
【００１９】
本発明の行動計画立案支援システムにおいて、
前記保持部は、参加者の属性に応じた嗜好の傾向を示す嗜好傾向情報を保持し、
前記行動計画立案支援システムは、前記複数の参加者のうちいずれかの参加者の嗜好情報に欠落がある場合、当該参加者の属性に基づいて当該参加者の嗜好を推定する第１嗜好推定部を備えるように構成されている。    
【００２０】
参加者の属性と当該参加者の嗜好とには一定の関係性があると推察されるところ、当該構成の行動計画立案支援システムによれば、いずれかの参加者の嗜好情報に欠落がある場合でも、参加者の属性に基づいて当該参加者の嗜好が推定される。これにより、精度よく嗜好情報の欠落が補われ、参加者の嗜好が勘案された形で計画が作成される。
【００２１】
本発明の行動計画立案支援システムにおいて、
前記保持部は、前記複数の参加者間の関係を示す対人関係情報を保持し、
前記行動計画立案支援システムは、前記複数の参加者のうちいずれかの参加者の嗜好情報に欠落がある場合、前記行動の計画に関する情報を入力するユーザの嗜好と、前記嗜好情報に欠落がある参加者とユーザとの関係とに基づいて、前記参加者の嗜好を推定する第２嗜好推定部を備えることが好ましい。
【００２２】
各人の関係が深い場合には各人の嗜好も類似してくると推察されるところ、前記行動計画立案支援システムによれば、参加者の嗜好情報に欠落がある場合、前記嗜好情報に欠落がある参加者とユーザとの関係とに基づいて、前記参加者の嗜好が推定される。これにより、精度よく嗜好情報の欠落が補われ、各参加者の嗜好が勘案された形で計画が作成される。
【００２３】
本発明の行動計画立案支援システムにおいて、
前記保持部は、前記複数の参加者間の関係を示す対人関係情報を保持し、
前記行動計画作成部は、前記対人関係情報に基づいて、前記共通嗜好に合致する行動と特定参加者の嗜好に合致する行動とに前記複数の参加者の全員が参加する行動計画と、前記共通嗜好に合致する行動に前記一部の参加者が参加し、前記特定参加者の嗜好に合致する行動に前記特定参加者が参加する行動計画とのいずれにするかを選択することが好ましい。
【００２４】
参加者間の関係は、嗜好が異なる場合に一緒に行動するか個別に行動するかのいずれを希望するかに影響すると推察されるところ、当該構成の行動計画立案支援システムによれば、複数の参加者間の関係が勘案された形で計画が作成される。これにより、各参加者の希望に沿った計画が作成されうる。
【図面の簡単な説明】
【００２５】
【図１】第１実施形態における行動計画立案支援システムの全体構成図。
【図２】第１実施形態における第１端末の構成を示す図。
【図３】第１実施形態における行動計画立案支援サーバの構成を示す図。
【図４】第１実施形態における各ユーザの嗜好情報の一例を示す図。
【図５】第１実施形態における施設情報の一例を示す図。
【図６】第１実施形態における行動計画立案支援処理のフローチャート。
【図７】第１実施形態における計画案の一例を示す図。
【図８】第１実施形態における計画案の他の例を示す図。
【図９】第１実施形態における計画案作成処理のフローチャート。
【図１０】第２実施形態における計画案作成処理のフローチャート。
【図１１】第３実施形態における計画案作成処理のフローチャート。
【図１２】第４実施形態における計画案作成処理のフローチャート。
【図１３】第５実施形態における行動計画立案支援サーバの構成を示す図。
【図１４】第５実施形態における嗜好推定処理のフローチャート。
【図１５】第５実施形態において推定された各ユーザの嗜好情報の一例を示す図。
【発明を実施するための形態】
【００２６】
（第１実施形態）
図１〜図９を参照して、本発明の第１実施形態について説明する。
【００２７】
第１実施形態において、行動計画立案支援システム１は、図１に示すように、第１端末２１と、第２端末２２と、第３端末２３と、行動計画立案支援サーバ３とを備える。第１端末２１と、第２端末２２と、第３端末２３と、行動計画立案支援サーバ３とは互いに無線通信網等のネットワークを介して相互に通信可能に接続されている。
【００２８】
（第１端末の構成）
第１端末２１は、移動局としての、タブレット型端末又はスマートフォン等、ユーザによる携帯が可能なようにサイズ、形状及び重量が設計されている情報端末である。第１端末２１のユーザは、第１ユーザＵ１である。
【００２９】
第１端末２１は、第１ユーザＵ１が搭乗する移動体に搭載可能なようにサイズ、例えば規格化された１〜２ＤＩＮ等が設計されている情報端末により構成されてもよい。また、第１端末２１は、固定局として、例えばデスクトップコンピュータにより構成されていてもよい。
【００３０】
第１端末２１は、図２に示されるように、端末制御部２１１、端末記憶部２１２、端末出力部２１３、端末入力部２１４、端末通信部２１５及び端末計時部２１６を備えている。第１端末２１は、構成要素を装置の内部に備えるだけでなく、装置の外部に構成要素を備え、有線通信又は無線通信を介して必要なデータを認識するように構成されていてもよい。
【００３１】
なお、一の装置が情報を「認識する」とは、一の装置が他の装置から当該情報を受信すること、一の装置が端末記憶部２１２等の記憶媒体に記憶された情報を読み取ること、一の装置がＧＰＳセンサ１１等のセンサから出力された信号に基づいて情報を取得すること、一の装置が、受信した情報又は端末記憶部２１２等の記憶媒体に記憶された情報又は外部のセンサから取得した情報に基づいて、所定の演算処理（計算処理又は検索処理など）を実行することにより当該情報を導出すること、一の装置が他の装置による演算処理結果としての当該情報を当該他の装置から受信すること、一の装置が当該受信信号にしたがって内部記憶装置又は外部記憶装置から当該情報を読み取ること等、当該情報を取得するためのあらゆる演算処理が実行されることを意味する。
【００３２】
端末制御部２１１は、ＣＰＵ等のプロセッサにより構成されている。第１端末２１には、行動計画立案支援クライアントプログラムがインストールされている。行動計画立案支援クライアントプログラムが起動されることにより、端末制御部２１１は、端末記憶部２１２からソフトウェアおよびデータを必要に応じて読み取ったうえで後述の演算処理を実行するように構成されている。端末制御部２１１の一部又は全部が、端末通信部２１５を介して通信可能な外部のサーバ等によって構成されていてもよい。
【００３３】
端末制御部２１１は、端末記憶部２１２、端末出力部２１３、端末入力部２１４、端末通信部２１５及び端末計時部２１６と情報を送受信可能なように構成されている。
【００３４】
端末記憶部２１２は、ＲＡＭ、ＲＯＭ又はＨＤＤ等の記憶装置により構成され、種々の情報を記録するように構成されている。端末記憶部２１２は、端末制御部２１１による演算処理で使用されるデータを記憶及び読出可能に構成されている。端末記憶部２１２の一部又は全部が、端末通信部２１５を介して通信可能な外部のストレージサーバ等によって構成されていてもよい。
【００３５】
端末記憶部２１２は、ユーザ識別情報２１２１を記憶している。
【００３６】
ユーザ識別情報２１２１は、行動計画立案支援クライアントプログラムのインストール時又はインストール後に第１ユーザＵ１の操作によって作成される第１ユーザＵ１を識別するための情報である。第１ユーザＵ１を識別するための情報は、例えば一般的なＳＮＳ（ｓｏｃｉａｌ  ｎｅｔｗｏｒｋｉｎｇ  ｓｅｒｖｉｃｅ）により認証された当該ＳＮＳのログインＩＤであってもよい。
【００３７】
端末出力部２１３は、端末画像表示部２１３１と、端末音声出力部２１３２とを備える。
【００３８】
端末画像表示部２１３１は、例えば液晶パネルにより構成される。端末画像表示部２１３１は、端末制御部２１１から入力された信号に応じて画像を表示するように構成されている。
【００３９】
端末音声出力部２１３２は、例えばスピーカーにより構成される。端末音声出力部２１３２は、端末制御部２１１から入力された信号に応じて音声を出力するように構成されている。
【００４０】
端末出力部２１３は、これらに加え、におい発生装置、振動発生装置等、ユーザの五感を通じて認識させることができる情報を出力する装置を備えてもよい。
【００４１】
端末入力部２１４は、端末撮像部２１４１と、端末操作検知部２１４２と、端末音声認識部２１４３とを備える。
【００４２】
端末撮像部２１４１は、例えば第１端末２１の所定の位置に配置されたカメラにより構成される。端末撮像部２１４１は、動画を撮像し、撮像した動画に対応する信号を端末制御部２１１に出力するように構成されている。
【００４３】
端末操作検知部２１４２は、例えば、タッチパッド、ボタン、キーボード又はマウス等により構成される。端末操作検知部２１４２は、ユーザの操作を検知し、当該タッチ操作に対応する信号を端末制御部２１１に出力するように構成されている。端末操作検知部２１４２としてのタッチパッドと端末画像表示部２１３１としての液晶パネルとが組合わされ、タッチパネルとして構成されてもよい。
【００４４】
端末音声認識部２１４３は、例えばマイクにより構成される。端末音声認識部２１４３は、ユーザが発した音声を認識し、当該音声に対応する信号を端末制御部２１１に出力するように構成されている。
【００４５】
端末通信部２１５は、端末近距離無線通信部２１５１と、端末無線通信網通信部２１５２とを備える。
【００４６】
端末近距離無線通信部２１５１は、有線又は近距離での無線通信に適した通信規格にしたがって無線ＬＡＮ等を介して機器と相互に通信するように構成されている。
【００４７】
端末無線通信網通信部２１５２は、ＷｉＦｉ（登録商標）等の遠距離での無線通信に適した通信規格にしたがって行動計画立案支援サーバ３等の外部端末と相互通信するように構成されている。
【００４８】
端末計時部２１６は、例えばＮＴＰ（Ｎｅｔｗｏｒｋ  Ｔｉｍｅ  Ｐｒｏｔｏｃｏｌ）サーバと通信することにより、現在時刻を認識するように構成されている。端末計時部２１６は、ＧＰＳセンサ１１から受信した信号により現在時刻を認識してもよい。
【００４９】
（第２端末の構成）
第２端末２２は、ユーザが第２ユーザＵ２であり、第２端末２２の端末記憶部に第２ユーザＵ２を識別されている点を除き、第１端末２１と同様の構成を有する。
【００５０】
（第３端末の構成）
第３端末２３は、ユーザが第３ユーザＵ３であり、第３端末２３の端末記憶部に第３ユーザＵ３を識別されている点を除き、第１端末２１と同様の構成を有する。
【００５１】
（行動計画立案支援サーバの構成）
行動計画立案支援サーバ３は、固定局としてのコンピュータにより構成され、サーバ制御部３１と、サーバ保持部３２と、サーバ通信部３５とを備えている。なお、行動計画立案支援サーバ３が、移動局としてのスマートフォンまたはタブレットなどの携帯型の端末装置により構成されていてもよい。行動計画立案支援サーバ３は、複数のコンピュータが総合に通信することにより、協働してサーバ制御部３１、サーバ保持部３２及びサーバ通信部３５等の各機能を果たすように構成されていてもよい。
【００５２】
行動計画立案支援サーバ３には、行動計画立案支援サーバプログラムがインストールされている。
【００５３】
サーバ制御部３１は、サーバ保持部３２からデータを必要に応じて読み取った上で、当該データを対象として行動計画立案支援サーバプログラムにしたがった演算処理を実行する演算処理装置（ＣＰＵ）により構成されている。当該演算処理の詳細については後述する。サーバ制御部３１が当該演算処理を実行することにより、本発明の「共通嗜好認識部」、「特定参加者嗜好認識部」、「行動計画作成部」、「優先参加者認識部」及び「嗜好推定部」として機能する。
【００５４】
サーバ保持部３２は、ＲＡＭ、ＲＯＭ又はＨＤＤ等の記憶装置により構成され、サーバ制御部３１のそれぞれによる受信情報および計算結果などの演算処理結果を記憶保持するように構成されている。サーバ保持部３２は、ユーザ情報３２１、施設情報３２２、地図情報３２３及び計画情報３２４を保持している。サーバ保持部３２は、本発明の「保持部」に相当する。
【００５５】
ユーザ情報３２１は、夫々のユーザごとにユーザ識別情報３２１１、属性情報３２１２、行動履歴情報３２１３、話題履歴情報３２１４、検索履歴情報３２１５、対人関係情報３２１６及び嗜好情報３２１７を互いに関連付けて含んでいる。
【００５６】
ユーザ識別情報３２１１は、夫々のユーザを識別するための情報である。
【００５７】
属性情報３２１２は、夫々のユーザの属性に関する情報であり、例えば、夫々のユーザの氏名、生年月日、性別、既婚、未婚、家族構成、職業及び住所を示す情報である。
【００５８】
行動履歴情報３２１３は、夫々のユーザの行動の履歴を示す情報であり、例えば、以前ユーザが採用した計画に含まれる行動である。
【００５９】
話題履歴情報３２１４は、夫々のユーザの関心のある話題の履歴に関する情報である。例えば、各端末にインストールされている行動計画立案クライアントプログラムにより各端末がチャットボットとして機能し、当該チャットボットが夫々のユーザに対し「今興味があることは？」などを訪ねた回答を夫々のユーザの関心のある話題として収集してもよい。また、行動計画立案クライアントプログラムがＳＮＳのログインＩＤをユーザの識別情報として用いている場合には、サーバ制御部３１が当該ユーザのログインＩＤによりＳＮＳを検索することにより、当該ＳＮＳでの当該ユーザの発言などを当該ユーザの関心のある話題として収集してもよい。
【００６０】
検索履歴情報３２１５は、夫々のユーザの検索の履歴に関する情報である。例えば、検索履歴情報３２１５は、各端末により収集された検索時におけるキーワードであってもよい。
【００６１】
対人関係情報３２１６は、夫々のユーザに関係する他のユーザの識別情報、夫々のユーザと当該他のユーザの関係性に関する情報が含まれている。夫々のユーザと当該他のユーザの関係性に関する情報とは、例えば、当該他のユーザが、夫々のユーザの配偶者、親子、兄弟、親戚、婚約者、恋人、同一の中学校の友人又は同一の職場の同僚であること等を示す情報である。夫々のユーザと当該他のユーザの関係性に関する情報は、当該他のユーザとの親密さを示す数値で表されていてもよい。また、夫々のユーザと当該他のユーザの関係性に関する情報は、ＳＮＳから取得されてもよい。サーバ制御部３１は、各端末から受信したユーザから入力された情報を基にユーザ間の関係性を判定してもよいし、行動履歴情報３２１３、話題履歴情報３２１４、検索履歴情報３２１５等に基づいて一緒に行動している期間または同一の話題について興味を持っている期間を推定することにより、ユーザ間の関係性を判定してもよい。
【００６２】
嗜好情報３２１７は、夫々のユーザの嗜好を示す情報であり、本実施形態では、雰囲気嗜好情報３２１７１と、予算嗜好情報３２１７２とを含む。
【００６３】
嗜好情報３２１７は、例えば、夫々のユーザの登録時のアンケートから取得されうる。
【００６４】
雰囲気嗜好情報３２１７１は、施設の雰囲気、特に好きな雰囲気及び嫌いな雰囲気に関する夫々のユーザの嗜好を示す情報である。嗜好については、例えば、−１００〜１００等の好みの大きさを示す数値で表されてもよい。
【００６５】
予算嗜好情報３２１７２は、予算に関する夫々のユーザの嗜好を示す情報である。予算に関する嗜好は、１計画あたりに行動に費やす上限金額で表現される。これに加えてまたは代えて、１計画あたりに行動に費やす平均金額、１カ月等一定期間に行動に費やす平均金額または上限金額で表現されてもよい。
【００６６】
施設情報３２２は、各施設に関する情報である。施設情報３２２は、図５に示すように、各施設ごとに施設を識別するための施設識別情報、施設の種別を示す施設種別情報、施設に滞在する平均的な時間を示す平均滞在時間情報、施設の雰囲気を示す施設雰囲気情報、及び施設を利用する際の平均又は上限の予算を示す予算情報が含まれる。
【００６７】
地図情報３２３には、道路及び各施設等の緯度及び経度等の位置情報及びＰＯＩ（Ｐｏｉｎｔ  Ｏｆ  Ｉｎｔｅｒｅｓｔ）を含む情報である。地図情報３２３には、道路網を構成する複数の道路及び道路の区間のそれぞれの位置、形状および姿勢等を表わす座標値（（緯度、経度）または（緯度、経度、高度））の列のほか、各区間を識別するための道路識別情報および属性を表すデータなどが含まれている。各区間は一端または両端において他の道路の区間に接続されている。地図情報３２３には、道路の特徴（急カーブ、急勾配、見通しが悪い、事故多発など）が含まれていてもよい。
【００６８】
計画情報３２４は、行動の計画に関する情報であり、参加者、場所、実行日、実行時間帯、予算、行動の内容を含む情報である。
【００６９】
（行動計画立案支援処理）
図６〜図８を参照して、行動計画立案支援処理について説明する。
【００７０】
本処理では、第１端末２１の第１ユーザＵ１が、第２端末２２の第２ユーザＵ２、第３端末２３の第３ユーザＵ３とともに行動するための計画を作成する場合の処理を説明する。なお、第２端末２２及び第３端末２３の処理はほぼ同様であるため、以下においては第２端末２２の処理のみ説明する。
【００７１】
第１端末２１は、第１端末操作検知部２１４２を介して検知された第１ユーザＵ１の操作に基づいて認識された計画の初期条件を端末通信部２１５を介して行動計画立案支援サーバ３に送信する（図６／ＳＴＥＰ１０２）。初期条件は、各参加者の識別情報、何月何日何時から何時までのスケジュールであるか、食事の時間はいつか、大まかな地域はどこであるか、移動手段は何か等の条件である。
【００７２】
サーバ制御部３１は、サーバ通信部３５を介して初期条件を受信すると（図６／ＳＴＥＰ３０２‥ＹＥＳ）、計画案作成処理を実行する（図６／ＳＴＥＰ３０４）。計画案作成処理の詳細については後述するが、計画案作成処理により、図７に示されるようにスケジュール全体にわたって参加者全員が同一の行動をとる計画案Ｐ１及び図８に示されるようにスケジュールの一部において個別の行動を含む計画案Ｐ２が作成される。各計画案には、図７及び図８に示されるように、行動の案とその行動への参加者の案とその行動をとる時間帯の案と予算の案とが含まれている。計画案Ｐ１及び計画案Ｐ２が、夫々、本発明の「第１行動計画」の一例に相当する。
【００７３】
サーバ制御部３１は、作成された各計画案をサーバ通信部３５を介して第２端末２２、第３端末２３に送信する（図６／ＳＴＥＰ３０６）。サーバ制御部３１は、図６／ＳＴＥＰ３０６の処理の前に、各計画案を第１端末２１に送信し、第１端末２１から各計画案に含まれる行動の変更、追加若しくは削除又は各計画案の承認等を受信してもよい。この場合、サーバ制御部３１は、第１端末２１から各計画案に含まれる行動の変更、追加若しくは削除を受信した場合には、それを各計画案に反映した上で、第２端末２２、第３端末２３に送信する。サーバ制御部３１は、修正又は承認されなかった計画案がある場合には、その計画案を除外して送信する。
【００７４】
第２端末２２の端末制御部は、端末通信部を介して各計画案を受信すると（図６／ＳＴＥＰ２０２‥ＹＥＳ）、受信した各計画案を端末画像表示部に出力する（図６／ＳＴＥＰ２０４）。端末制御部は、受信した各計画案を修正又は承認するための画面を端末画像表示部に出力する。
【００７５】
第２端末２２の端末制御部は、端末入力部を介して第２ユーザＵ２からの各計画案に対する入力を検知すると（図６／ＳＴＥＰ２０６‥ＹＥＳ）、入力された情報を端末通信部を介して行動計画立案支援サーバ３に送信する（図６／ＳＴＥＰ２０８）。第２端末２２に入力される情報は、各計画案に含まれる行動の変更、追加若しくは削除又は各計画案の承認を示す情報である。
【００７６】
サーバ制御部３１は、サーバ通信部３５を介して情報を受信すると（図６／ＳＴＥＰ３０８‥ＹＥＳ）、受信した情報が各計画案の修正に関するものであるか（各計画案に含まれる行動の変更、追加若しくは削除であるか）否かを判定する（図６／ＳＴＥＰ３１０）。
【００７７】
当該判定結果が肯定的である場合（図６／ＳＴＥＰ３１０‥ＹＥＳ）、サーバ制御部３１は、当該情報の発信者の嗜好情報３２１７を修正する（図６／ＳＴＥＰ３１２）。例えば、サーバ制御部３１は、行動が変更された場合、変更後の行動に含まれる施設の雰囲気を好きな雰囲気と認識し、変更前の行動に含まれる施設の雰囲気を嫌いな雰囲気と認識する。また、サーバ制御部３１は、行動が追加された場合、当該行動に含まれる施設の雰囲気を好きな雰囲気と認識する。また、サーバ制御部３１は、行動が削除された場合、当該行動に含まれる施設の雰囲気を嫌いな雰囲気と認識する。これらに代えて、サーバ制御部３１は、嗜好を示す値から所定の値を増減してもよい。
【００７８】
当該判定結果が否定的である場合（図６／ＳＴＥＰ３１０‥ＮＯ）又は図６／ＳＴＥＰ３１２の処理の後、サーバ制御部３１は、各計画案をサーバ通信部３５を介して第１端末２１に送信する（図６／ＳＴＥＰ３１４）。各計画案の修正があった場合には、サーバ制御部３１は、修正を反映した各計画案を第１端末２１に送信する。また、サーバ制御部３１は、修正又は承認されなかった計画案がある場合には、その計画案が修正も承認もされなかった旨を第１端末２１に送信する。
【００７９】
第１端末制御部２１１は、各計画案を受信すると（図６／ＳＴＥＰ１０４‥ＹＥＳ）、各計画案を端末画像表示部２１３１に出力する（図６／ＳＴＥＰ１０６）。第１端末制御部２１１は、併せて各計画案を修正又は承認するための画面を端末画像表示部２１３１に出力する。
【００８０】
その後、第１端末制御部２１１は、図６／ＳＴＥＰ２０６〜ＳＴＥＰ２０８と同様の処理を実行し、サーバ制御部３１が図６／ＳＴＥＰ３０８〜ＳＴＥＰ３１４と同様の処理を実行し、これらが繰り返される。サーバ制御部３１は、最終的に、全ての参加者により承認が得られた又は一定期間修正が入らなかった場合、計画案を計画情報３２４に追加してサーバ保持部３２に保持する。各端末のユーザは、行動計画立案支援サーバ３にアクセスし、この計画情報３２４に含まれる計画案を参照することにより、行動の計画を確認することができる。
【００８１】
このようにして、ユーザの行動の計画の立案が支援される。
【００８２】
（第１実施形態の計画案作成処理）
次に、図４、図５、図７〜図９を参照して、サーバ制御部３１によって実行される計画案作成処理について説明する。
【００８３】
サーバ制御部３１は、受信した初期条件を認識する（図９／ＳＴＥＰ３２０）。初期条件には、各参加者の識別情報、何月何日何時から何時までのスケジュールであるか、食事の時間はいつか、大まかな地域はどこであるか、移動手段は何か等の条件が含まれている。
【００８４】
本実施形態においては、サーバ制御部３１は、参加者が第１ユーザＵ１，第２ユーザＵ２，第３ユーザＵ３であり、２０１７年４月１日１０：００から１９：００までのスケジュール、１２：００〜１３：００までを昼食の時間、１８：００〜１９：００までを夕食の時間、地域は宇都宮で移動手段は歩きであると認識したとして、以下を説明する。
【００８５】
サーバ制御部３１は、各参加者の識別情報を基に、ユーザ情報３２１を参照することにより、各ユーザの嗜好を認識する（図９／ＳＴＥＰ３２２）。
【００８６】
例えば、サーバ制御部３１は、雰囲気嗜好情報３２１７１を参照することにより、例えば、図４に示されるように、第１ユーザＵ１が明るい雰囲気の施設を好み、落ち着いた雰囲気の施設を嫌っている、第２ユーザＵ２が明るい雰囲気を好んでいる、第３ユーザＵ３が落ち着いた雰囲気の施設を好み、明るい雰囲気の施設を嫌っているということを認識する。
【００８７】
サーバ制御部３１は、予算嗜好情報３２１７２を参照することにより、例えば、図４に示されるように、第１ユーザＵ１が１計画あたり１０，０００円以下に抑えることを希望していること、第２ユーザＵ２が１計画あたり１２，０００円以下に抑えることを希望していること、第３ユーザＵ３が１計画あたり８，０００円以下に抑えることを希望していることを認識する。
【００８８】
サーバ制御部３１は、各参加者の共通の嗜好である共通嗜好を認識する（図９／ＳＴＥＰ３２４）。ここで、共通嗜好とは、少なくとも２人の人に共通する嗜好であるが、各参加者のうち最も多くの人に共通する嗜好であってもよいし、計画の立案者である第１ユーザＵ１が持つ嗜好のうち、他の参加者と共通する嗜好であってもよい。雰囲気の嗜好、予算の嗜好など、嗜好の種別が複数ある場合には、サーバ制御部３１は、夫々の嗜好の種別ごとに共通嗜好を認識してもよい。
【００８９】
本実施形態では、サーバ制御部３１は、嗜好情報３２１７（図４）を参照して、各参加者のうち、最も多くの人に共通する嗜好である「明るい雰囲気の施設を好む」及び「８，０００円／計画以下」を共通嗜好として認識する。
【００９０】
サーバ制御部３１は、共通嗜好と異なる嗜好を有する参加者（以下、「特定参加者」という。）の嗜好を認識する（図９／ＳＴＥＰ３２６）。本実施形態では、明るい雰囲気の施設を嫌う第３ユーザＵ３の嗜好を特定参加者の嗜好として認識する。
【００９１】
サーバ制御部３１は、施設情報３２２（図５）及び地図情報３２３を参照し、初期条件に規定される地域において、共通嗜好に合致する施設を認識する（図９／ＳＴＥＰ３２８）。本実施形態では、サーバ制御部３１は、地域「宇都宮」において、共通嗜好「明るい雰囲気の施設を好む」及び「８，０００円／計画以下」に合致する施設として、「遊園地」「映画館」「アンテナショップ」を認識する。
【００９２】
サーバ制御部３１は、嗜好情報３２１７（図４）、施設情報３２２（図５）及び地図情報３２３を参照し、初期条件に規定される地域において、特定参加者の嗜好に合致する施設を認識する（図９／ＳＴＥＰ３３０）。本実施形態では、サーバ制御部３１は、地域「宇都宮」において、特定参加者「第３ユーザＵ３」の嗜好「落ち着いた雰囲気の施設を好む」及び「予算８，０００円以下」に合致する施設である「博物館」「公園」が認識される。
【００９３】
サーバ制御部３１は、初期条件を充足する範囲内で、図９／ＳＴＥＰ３２８、図９／ＳＴＥＰ３３０で認識された施設への訪問を組み合わせた計画案を作成する（図９／ＳＴＥＰ３３２）。
【００９４】
本実施形態では、サーバ制御部３１は、施設情報３２２から、各施設の利用時間を認識する。そして、サーバ制御部３１は、各施設間の移動時間を地図情報３２３を参照することにより認識する。サーバ制御部３１は、これらの時間から、２０１７年４月１日１０：００から１９：００までのスケジュール、１２：００〜１３：００までを昼食の時間、１８：００〜１９：００までを夕食の時間、予算が「予算８，０００円以下」となるような制約を充足するような施設の訪問順を決定することにより、計画案を作成する。
【００９５】
例えば、サーバ制御部３１は、図７に示されるように、１０：００〜１２：００において、特定参加者「第３ユーザＵ３」の嗜好に合致する「博物館」を訪問し、１３：３０〜１７：３０において共通嗜好に合致する「遊園地」を訪問する計画案Ｐ１を作成する。
【００９６】
サーバ制御部３１は、初期条件を充足する範囲内で、図９／ＳＴＥＰ３２８で認識された施設への訪問と、図９／ＳＴＥＰ３３０で認識された施設への訪問を個別に行う計画案を作成する（図９／ＳＴＥＰ３３４）。
【００９７】
例えば、サーバ制御部３１は、図８に示されるように、主要なグループが１３：３０〜１７：３０において共通嗜好に合致する「遊園地」を訪問するとともに、特定参加者が１３：３０〜１７：３０において、特定参加者「第３ユーザＵ３」の嗜好に合致する「博物館」「公園」を訪問する計画案Ｐ２を作成する。
【００９８】
なお、計画案Ｐ２には、上記時間帯とは異なる時間帯において、共通嗜好又は特定参加者「第３ユーザＵ３」の嗜好のいずれかに反する「アンテナショップ」への訪問が含まれている。また、特定参加者「第３ユーザＵ３」が個別行動をとることを勘案して、サーバ制御部３１は、特定参加者「第３ユーザＵ３」の予算または特定参加者「第３ユーザＵ３」以外の予算が修正された上で計画案が作成する。本実施形態においては、サーバ制御部３１は、「第１ユーザＵ１」「第２ユーザＵ２」の予算を１０，０００円以下に修正した上で計画案を作成している。
【００９９】
以上の通りの処理により、図７及び図８に示されるような計画案が作成される。
【０１００】
（第２実施形態）
図１０を参照して、次に、第２実施形態の計画案作成処理について説明する。
【０１０１】
第１実施形態と第２実施形態とで共通の構成については、同一の符号を付して説明を省略する。
【０１０２】
第２実施形態は、参加者間の関係を考慮して計画の立案を支援する実施形態である。
【０１０３】
（第２実施形態の計画案作成処理）
図１０／ＳＴＥＰ３２０〜ＳＴＥＰ３３０は、第１実施形態の計画案作成処理の図９／ＳＴＥＰ３２０〜ＳＴＥＰ３３０と同様の処理であるので説明を省略する。
【０１０４】
サーバ制御部３１は、対人関係情報３２１６を参照し、嗜好を共通する参加者間の関係が所定の第１関係であるかどうかを判定する（図１０／ＳＴＥＰ３４０）。
【０１０５】
例えば、図４の例においては、サーバ制御部３１は、第１ユーザＵ１と第２ユーザＵ２との関係が、所定の第１関係であるかどうかを判定する。
【０１０６】
所定の第１関係とは、比較的長い時間を過ごすことに互いに抵抗がない関係をいい、例えば、第１ユーザＵ１と第２ユーザＵ２とが配偶者、親子、兄弟、親戚、婚約者、恋人、友人又は同僚等の関係であることが挙げられる。サーバ制御部３１は、第１ユーザＵ１と第２ユーザＵ２とが特段の関係性を持たなかったり、友人の友人等、第１関係でない、すなわち親密でない関係である場合には、図１０／ＳＴＥＰ３４０の判定結果を否定的と判定する。親密さが数値で表されている場合には、サーバ制御部３１は、第１ユーザＵ１と第２ユーザＵ２との親密さが所定の第１閾値以上である場合に図１０／ＳＴＥＰ３４０の判定結果を肯定的と判定してもよい。
【０１０７】
当該判定結果が肯定的である場合（図１０／ＳＴＥＰ３４０‥ＹＥＳ）、サーバ制御部３１は、対人関係情報３２１６を参照し、特定参加者と、他の参加者間の関係が所定の第２関係であるかどうかを判定する（図１０／ＳＴＥＰ３４２）。
【０１０８】
例えば、図４の例においては、サーバ制御部３１は、第３ユーザと、第１ユーザＵ１又は第２ユーザＵ２の関係が、所定の第２関係であるかどうかを判定する。
【０１０９】
所定の第２関係とは、個別の行動をとるよりも、一緒の行動をとることを好む蓋然性が高い関係を言い、例えば、第１ユーザＵ１と第３ユーザＵ３とが配偶者、親子、婚約者又は恋人である場合が挙げられる。親密さが数値で表されている場合には、サーバ制御部３１は、第１ユーザＵ１と第３ユーザＵ３との親密さが第１閾値よりも高い第２閾値以上である場合に図１０／ＳＴＥＰ３４２の判定結果を肯定的と判定してもよい。
【０１１０】
図１０／ＳＴＥＰ３４０の判定結果が否定的である場合（図１０／ＳＴＥＰ３４０‥ＮＯ）又は図１０／ＳＴＥＰ３４２の判定結果が肯定的である場合（図１０／ＳＴＥＰ３４２‥ＹＥＳ）、サーバ制御部３１は、初期条件を充足する範囲内で、図１０／ＳＴＥＰ３２８、図１０／ＳＴＥＰ３３０で認識された施設への訪問を組み合わせた計画案を作成する（図１０／ＳＴＥＰ３３２）。図１０／ＳＴＥＰ３３２の処理は、図９／ＳＴＥＰ３３２の処理と同様の処理であるので説明を省略する。
【０１１１】
図１０／ＳＴＥＰ３４２の判定結果が否定的である場合（図１０／ＳＴＥＰ３４０‥ＮＯ）、サーバ制御部３１は、初期条件を充足する範囲内で、図１０／ＳＴＥＰ３２８で認識された施設への訪問と、図１０／ＳＴＥＰ３３０で認識された施設への訪問を個別に行う計画案を作成する（図１０／ＳＴＥＰ３３４）。図１０／ＳＴＥＰ３３４の処理は、図９／ＳＴＥＰ３３４の処理と同様の処理であるので説明を省略する。
【０１１２】
上述した処理により、参加者間の関係性に鑑みて適切な行動の計画案の立案が支援される。
【０１１３】
（第３実施形態）
図１１を参照して、次に、第３実施形態の計画案作成処理について説明する。
【０１１４】
第１実施形態〜第３実施形態で共通の構成については、同一の符号を付して説明を省略する。
【０１１５】
第３実施形態は、お祝いされる人、顧客、上司、子供等、その嗜好を他の参加者よりも優先的に計画に反映させるべき参加者（以下、「優先参加者」という。）がいる場合の実施形態である。
【０１１６】
（第３実施形態の計画案作成処理）
図１１／ＳＴＥＰ３２０〜図１１／ＳＴＥＰ３２２は、第１実施形態の計画案作成処理の図９／ＳＴＥＰ３２０〜ＳＴＥＰ３２２と同様の処理であるので説明を省略する。
【０１１７】
サーバ制御部３１は、優先参加者を認識する（図１１／ＳＴＥＰ３５２）。優先参加者は、初期条件で指定されてよいし、予めユーザ登録の際に設定されてもよいし、所定の年齢以上若しくは以下又は誕生日の人など、属性情報３２１２に含まれる参加者の年齢等の属性に基づいて自動的に認識されてもよいし、対人関係情報３２１６に含まれる各参加者間の関係に基づいて自動的に認識されてもよい。
【０１１８】
サーバ制御部３１は、優先参加者の嗜好と他の参加者嗜好のうち共通する嗜好を共通嗜好として認識する（図１１／ＳＴＥＰ３５４）。
【０１１９】
以下、サーバ制御部３１は、図１１／ＳＴＥＰ３２６〜ＳＴＥＰ３３４の処理を実行する。図１１／ＳＴＥＰ３２６〜ＳＴＥＰ３３４の処理は、図９／ＳＴＥＰ３２６〜ＳＴＥＰ３３４の処理と同様であるので説明を省略する。
【０１２０】
これによれば、優先参加者の嗜好が共通の嗜好に反映されるので、優先参加者に配慮した行動の計画の立案が支援される。
【０１２１】
（第４実施形態）
次に、図１２を参照して、第４実施形態の計画案作成処理について説明する。
【０１２２】
第１実施形態〜第４実施形態で共通の構成については、同一の符号を付して説明を省略する。
【０１２３】
第４実施形態は、第３実施形態と同様に、お祝いされる人、顧客、上司、子供等、その嗜好を優先的に計画に反映させるべき参加者（優先参加者）がいる場合の実施形態である。
【０１２４】
（第４実施形態の計画案作成処理）
図１２／ＳＴＥＰ３２０〜図１２／ＳＴＥＰ３３４は、第１実施形態の計画案作成処理の図９／ＳＴＥＰ３２０〜ＳＴＥＰ３３４と同様の処理であるので説明を省略する。
【０１２５】
サーバ制御部３１は、優先参加者を認識する（図１２／ＳＴＥＰ３６２）。図１２／ＳＴＥＰ３６２の処理は、図１１／ＳＴＥＰ３５２の処理と同様であるので説明を省略する。
【０１２６】
サーバ制御部３１は、嗜好情報３２１７及び施設情報３２２を参照して優先参加者の嗜好に合致する行動を認識する（図１２／ＳＴＥＰ３６４）。例えば、第３ユーザが優先参加者である場合、サーバ制御部３１は、嗜好情報３２１７（図４）及び施設情報３２２（図５）を参照して、優先参加者の嗜好「明るい雰囲気を嫌い、落ち着いた雰囲気を好み、１計画あたり８，０００円以下の予算を好む」に合致する行動「博物館を訪問」「公園を訪問」を認識してもよい。
【０１２７】
サーバ制御部３１は、優先参加者の嗜好に合致する行動を組み合わせる計画を作成する（図１２／ＳＴＥＰ３６６）。例えば、サーバ制御部３１は、「博物館を訪問」「公園を訪問」を組み合わせ、これらに全員が参加するという計画案を作成する。この計画案が、本発明の「第２行動計画」の一例に相当する。
【０１２８】
このような処理により、優先参加者の嗜好が反映された計画案が作成されるので、優先参加者に配慮した行動の計画の立案が支援される。
【０１２９】
（第５実施形態）
次に、図１３〜図１５を参照して、第５実施形態について説明する。
【０１３０】
第１実施形態〜第５実施形態で共通の構成については、同一の符号を付して説明を省略する。
【０１３１】
第５実施形態は、一部の参加者の嗜好情報が欠落している場合に、その嗜好情報を推定する処理に関する実施形態である。本実施形態では、第１ユーザＵ１〜第３ユーザＵ３の３名が参加者であり、これらの参加者のうち、第２ユーザＵ２、第３ユーザＵ３の嗜好情報が欠落している場合の処理について説明する。
【０１３２】
（行動計画立案支援サーバの構成）
図１３を参照して、行動計画立案支援サーバ３の構成を説明する。
【０１３３】
行動計画立案支援サーバ３は、第１実施形態で説明した構成に加え、サーバ保持部３２が、嗜好傾向情報３２５を保持している。
【０１３４】
嗜好傾向情報３２５は、年齢、性別、家族構成、職業、地域等の人の属性と、人の行動履歴、話題履歴、検索履歴と、人の嗜好との関係を示した情報である。例えば、嗜好傾向情報３２５には、６０代、男性、既婚、会社員、○○市に在住の人は、落ち着いた雰囲気と１計画あたり１２，０００円以下の予算とを好むなどの属性と嗜好との関係が含まれている。また、嗜好傾向情報３２５には、喫茶店に頻繁に行く人は、明るい雰囲気を好むなどの行動履歴と嗜好との関係が含まれていてもよい。嗜好傾向情報３２５には、科学の話題を頻繁にする人は、学術的な雰囲気を好むなどの話題履歴と嗜好との関係が含まれていてもよい。嗜好傾向情報３２５には、美術の事柄について頻繁に検索する人は、寂しげな雰囲気を好むなどの検索履歴と嗜好との関係が含まれていてもよい。
【０１３５】
（嗜好推定処理）
図１４〜図１５を参照して、嗜好推定処理を説明する。
【０１３６】
嗜好推定処理は、例えば、図６のＳＴＥＰ３０４の計画案作成処理の前に実行される処理である。
【０１３７】
第１端末２１は、端末通信部２１５を介して参加者の情報を行動計画立案支援サーバ３に送信する（図１４／ＳＴＥＰ１７２）。参加者の情報には、参加者の識別情報、参加者と第１ユーザＵ１との関係、参加者の年齢、性別、家族構成、職業、地域等の属性の情報が含まれている。
【０１３８】
サーバ制御部３１は、サーバ通信部３５を介して参加者の情報を受信すると（図１４／ＳＴＥＰ３７２‥ＹＥＳ）、参加者のうちの一の参加者の情報を認識する（図１４／ＳＴＥＰ３７４）。
【０１３９】
サーバ制御部３１は、第１端末２１の第１ユーザＵ１と、認識した一の参加者のとの関係が所定の第３関係であるか判定する（図１４／ＳＴＥＰ３７６）。
【０１４０】
ここで、第３関係とは、第１ユーザと、一の参加者とが趣味が類似していると推察されるような関係であり、例えば、第１ユーザと、一の参加者とが配偶者、婚約者、恋人又は友人であるような場合である。サーバ制御部３１は、第１ユーザと、一の参加者との親密さが所定の第３閾値以上の場合に、図１４／ＳＴＥＰ３７６の判定結果が肯定的であると判定してもよい。
【０１４１】
当該判定結果が肯定的である場合（図１４／ＳＴＥＰ３７６‥ＹＥＳ）、サーバ制御部３１は、第１ユーザＵ１の嗜好を当該一の参加者の嗜好として認識する（図１４／ＳＴＥＰ３７８）。
【０１４２】
例えば、第１ユーザＵ１と第２ユーザＵ２との関係が第３関係である場合、図１５に示されるように、第２ユーザＵ２が、第１ユーザＵ１と同一の嗜好を有すると認識する。
【０１４３】
当該判定結果が否定的である場合（図１４／ＳＴＥＰ３７６‥ＮＯ）、サーバ制御部３１は、当該一の参加者の属性を認識する（図１４／ＳＴＥＰ３８０）。
【０１４４】
サーバ制御部３１は、嗜好傾向情報３２５を参照して、当該一の参加者の属性に基づいて当該一の参加者の嗜好を推定する（図１４／ＳＴＥＰ３８２）。
【０１４５】
例えば、サーバ制御部３１は、第３ユーザＵ３の属性が６０代、男性、既婚、会社員、○○市に在住である場合、嗜好傾向情報３２５を参照して、当該属性に基づいて、図１５に示されるように、落ち着いた雰囲気と１計画あたり１２，０００円以下の予算とを好むと推定する。
【０１４６】
サーバ制御部３１は、嗜好情報が欠落した全ての参加者に対して図１４／ＳＴＥＰ３７４〜ＳＴＥＰ３８２の処理を実行済みかどうかを判定する（図１４／ＳＴＥＰ３８４）。
【０１４７】
当該判定結果が否定的である場合（図１４／ＳＴＥＰ３８４‥ＮＯ）、サーバ制御部３１は、図１４／ＳＴＥＰ３７４〜ＳＴＥＰ３８２の処理を未実行の参加者に対して図１４／ＳＴＥＰ３７４〜ＳＴＥＰ３８２の処理を実行する。
【０１４８】
当該判定結果が肯定的である場合（図１４／ＳＴＥＰ３８４‥ＹＥＳ）、サーバ制御部３１は、推定した参加者の嗜好を示す情報をサーバ通信部３５を介して第１端末２１に送信する（図１４／ＳＴＥＰ３８６）。
【０１４９】
端末制御部２１１は、端末通信部２１５を介して参加者の嗜好を示す情報を受信すると（図１４／ＳＴＥＰ１７４‥ＹＥＳ）、推定された参加者の嗜好を示す情報を端末画像表示部２１３１に出力する（図１４／ＳＴＥＰ１７６）。端末制御部２１１は、併せて推定された参加者の嗜好を示す情報を修正するための画面を端末画像表示部２１３１に出力する。
【０１５０】
端末制御部２１１は、端末入力部２１４を介して第１ユーザＵ１の入力を検知すると、入力された、嗜好を修正する情報を端末通信部２１５を介して行動計画立案支援サーバ３に送信する（図１４／ＳＴＥＰ１７８）。
【０１５１】
サーバ制御部３１は、サーバ通信部３５を介して嗜好を修正する情報を受信すると（図１４／ＳＴＥＰ３８８‥ＹＥＳ）、受信した情報を嗜好情報３２１７に保持することにより、嗜好情報３２１７を更新する（図１４／ＳＴＥＰ３９０）。
【０１５２】
以上の処理により、嗜好情報が欠落していても、第１ユーザＵ１と参加者との関係、又は参加者の属性に応じて適切に嗜好が推定されうる。
【０１５３】
（変形態様）
第１実施形態〜第５実施形態では、参加者の嗜好として、雰囲気の嗜好、予算の嗜好が勘案されたが、これらに代えてまたは加えて、食べ物に関する嗜好、広範囲に行動するか一定範囲で行動するかなどの行動形態に関する嗜好など他の嗜好が同様の手法により勘案されてもよい。
【０１５４】
第１実施形態〜第５実施形態では、行動の計画として、いずれの施設を訪問するかの計画が作成されたが、これに代えてまたは加えて、どのような移動手段を用いるか、どのような食べ物を食べるか（どのようなレストランにいくか）、どのような行動をとるかなどの計画が同様の手法により作成されてもよい。
【０１５５】
サーバ制御部３１は、共通嗜好を持たない参加者が複数となるように共通嗜好を認識してもよい。
【０１５６】
サーバ制御部３１は、共通嗜好を持たない参加者が複数となる場合には、これらの参加者について、図９／ＳＴＥＰ３２２〜ＳＴＥＰ３３４の処理を実行してもよい。サーバ制御部３１は、複数の特定参加者について、夫々の特定参加者毎に行動の計画を作成してもよい。
【０１５７】
第２実施形態では、図１０／ＳＴＥＰ３４０又は図１０／ＳＴＥＰ３４２の一方の処理が省略されてもよい。
【０１５８】
また、第２実施形態では、嗜好を共通する参加者間の関係が第１関係でも第２関係でもない場合、あらかじめ登録された場所（例えば、話題が盛り上がるような場所）が訪問先として選択されてもよい。
【０１５９】
第５実施形態では、図１４／ＳＴＥＰ３７６〜ＳＴＥＰ３７８の処理が省略されてもよい。また、第１ユーザの嗜好の反映（図１４／ＳＴＰＥ３７８）に加えて、参加者の属性による嗜好の推定が行われてもよい。
【符号の説明】
【０１６０】
１‥行動計画立案支援システム、３１‥サーバ制御部（共通嗜好認識部、特定参加者嗜好認識部、行動計画作成部、優先参加者認識部、嗜好推定部）、３２５‥嗜好傾向情報、３２１６‥対人関係情報、３２１７‥嗜好情報。
【図１】
2018173904.tif 000003
【図２】
2018173904.tif 000004
【図３】
2018173904.tif 000005
【図４】
2018173904.tif 000006
【図５】
2018173904.tif 000007
【図６】
2018173904.tif 000008
【図７】
2018173904.tif 000009
【図８】
2018173904.tif 000010
【図９】
2018173904.tif 000011
【図１０】
2018173904.tif 000012
【図１１】
2018173904.tif 000013
【図１２】
2018173904.tif 000014
【図１３】
2018173904.tif 000015
【図１４】
2018173904.tif 000016
【図１５】
2018173904.tif 000017